(57)【要約】【課題】  均一発光効果を具えた散熱ファンを提供する。【解決手段】  主に枠フレーム、回路板、ファンホイール、発光ユニットを含む。該枠フレームは環状枠、該環状枠中央に位置する基板、該環状枠と該基板を接続する複数の棒を含む。該回路板は該基板上に設置し、該ファンホイールは回転可能な状態で該回路板に設置され、ファンこしき及び該ファンこしき外周面に環状に設置し、光透過性を具えた複数のファン羽を含む。該ファンホイールの該各ファン羽上には密集し分布する複数の導光粒を形成し、表面はわずかに凹凸状となり霧面形態を呈する。これにより、該発光ユニットの光線が該各ファン羽に投射されると、均一に分布する効果を達成し、散熱ファン全体を明るくし、全体的な視覚効果を向上させることができる。【選択図】  図  ４
2007016719.tif 000002
【特許請求の範囲】
【請求項１】
主に枠フレーム、回路板、ファンホイール、発光ユニットを含み、
該枠フレームは環状枠、該環状枠中央に位置する基板、該環状枠と該基板を接続する複数の棒を含み、
該回路板は該基板上に設置し、
該ファンホイールは回転可能な状態で該回路板に設置され、ファンこしき及び該ファンこしき外周面に環状に設置し、光透過性を具えた複数のファン羽を含み、
該ファンホイールの該各ファン羽上には密集し分布する複数の導光粒を形成し、表面はわずかに凹凸状となり霧面形態を呈し、該発光ユニットの光線が該各ファン羽に投射されると、均一に分布する効果を達成することを特徴とする均一発光効果を具えた散熱ファン。
【請求項２】
前記枠フレームの環状枠は光透過材質により製造され、また前記環状枠内側面上には密集し分布する複数の導光粒を形成し、表面はわずかに凹凸状を呈した霧面形態を呈することを特徴とする請求項１記載の均一発光効果を具えた散熱ファン。
【請求項３】
前記ファンホイールの各ファン羽頂点面上には密集し分布する複数の導光粒を形成することを特徴とする請求項１記載の均一発光効果を具えた散熱ファン。
【請求項４】
前記ファンホイールの各ファン羽底面上には密集し分布する複数の導光粒を形成することを特徴とする請求項１記載の均一発光効果を具えた散熱ファン。
【請求項５】
前記発光ユニットは複数の発光ダイオードにより組成されることを特徴とする請求項１記載の均一発光効果を具えた散熱ファン。
【請求項６】
前記発光ユニットの前記各発光ダイオードはそれぞれ前記枠フレームの棒上に設置されることを特徴とする請求項５記載の均一発光効果を具えた散熱ファン。
【請求項７】
前記発光ユニットの前記各発光ダイオードはそれぞれ前記回路板の外周縁に設置されることを特徴とする請求項５記載の均一発光効果を具えた散熱ファン。
【発明の詳細な説明】
【技術分野】
【０００１】
本発明は一種の散熱ファンに関する。特に一種の均一発光効果を具えた散熱ファンに係る。
【背景技術】
【０００２】
公知の散熱ファンの多くは散熱機能に集中し、外観上、或いは他の付属機能において大きな変化はなかった。そのため、散熱ファンの視覚効果を強化し、既存の散熱ファンから脱皮するため、発光機能を具えた散熱ファンが開発された。
図１、２に示す、中華民国特許公告第539169号「発光効果を具えた散熱ファン」発明案では、該散熱ファンは枠フレーム１１、該枠フレーム１１内に設置する回路板１２、該回路板１２上に回転可能状態で設置するファンホイール１３を含む。
該枠フレーム１１の内側壁上には複数の設置孔１１１を設置し、かつ該各設置孔１１１内には発光ダイオード１１２を設置する。該ファンホイール１３の外周面には環状に複数のファン羽１３１を設置し、該枠フレーム１１と該ファン羽１３１は共にカラー或いは透明のプラスチック材料により製造する。該散熱ファンが運転する時、該発光ダイオード１１２は同時に発光し、動態ライトアップ効果を達成する。
さらに図３に示すように、該発光ダイオード１１２は該回路板１２上に設置することもでき、これにより類似の動態ライトアップ効果を生じることができる。
【０００３】
しかし、該散熱ファンの該枠フレーム１１或いは該ファン羽１３１はカラー或いは透明のプラスチック材料により製造されるため、光線を屈折反射或いは導引する構造設計を具えない。よって、該発光ダイオード１１２が該枠フレーム１１或いは該ファン羽１３１に照射する時、光線は直接投射されるだけで、屈折反射を生じる光線導引効果及び光源拡散などの機能を発揮することはできない。すなわち、該発光ダイオード１１２が生じる光線の照射面は比較的小さくかつ比較的集中しており、その照射の明るさも光源位置で比較的強いだけであり、他の部位では相対的にかなり微弱である。よって全体的に明度が不均一で生じる視覚効果も劣る。
【発明の開示】
【発明が解決しようとする課題】
【０００４】
公知構造には以下の欠点があった。
すなわち、公知の散熱ファンの枠フレーム或いはファン羽はカラー或いは透明のプラスチック材料により製造されるため、光線を屈折反射或いは導引することがなく、発光ダイオードが該枠フレーム或いは該ファン羽に照射する時も、光線は直接投射されるだけで、屈折反射を生じる光線導引効果及び光源拡散などの機能を発揮することはできない。
さらに、該発光ダイオードが生じる光線の照射面は比較的小さくかつ比較的集中しており、その照射の明るさも光源位置で比較的強いだけであり、他の部位では相対的にかなり微弱であり、全体的に明度が不均一で生じる視覚効果も劣る。
本発明は上記構造の問題点を解決した均一発光効果を具えた散熱ファンを提供するものである。
【課題を解決するための手段】
【０００５】
上記課題を解決するため、本発明は下記の均一発光効果を具えた散熱ファンを提供する。
それは主に枠フレーム、回路板、ファンホイール、発光ユニットを含み、
該枠フレームは中空で環状枠、該環状枠中央に位置する基板、該環状枠と該基板を接続する複数の棒を含み、
該回路板は該基板上に設置し、
該ファンホイールは回転可能な状態で該回路板に設置され、ファンこしき及び該ファンこしき外周面に環状に設置し、光透過性を具えた複数のファン羽を含み、
該ファンホイールの該各ファン羽上には密集し分布する複数の導光粒を形成し、表面はわずかに凹凸状となり霧面形態を呈し、
これにより、該発光ユニットの光線が該各ファン羽に投射されると、均一に分布する効果を達成し、散熱ファン全体を明るくし、全体的な視覚効果を向上させることができることを特徴とする均一発光効果を具えた散熱ファンである。
【発明の効果】
【０００６】
上記のように、本発明は各ファン羽に形成する導光粒、或いは環状枠上の導光粒を利用し、回路板外側縁或いは棒上に設置する発光ダイオードが発する光線を屈折反射し、光線が均一に分布する効果を達成することができる。これにより、照射面の拡大と照射を均一にする効果を実現し、散熱ファン全体を明るくし、全体的な視覚効果を向上させることができる。
【発明を実施するための最良の形態】
【０００７】
図４に示すように、本発明の第一最適実施例では、中空の枠フレーム２、回路板３、該回路板３上に回転可能な状態で設置されるファンホイール４、発光ユニット５を含む。
該枠フレーム２は環状枠２１、該環状枠２１中央に位置する基板２２、該環状枠２１と該基板２２を接続する複数の棒２３を含む。該回路板３は該枠フレーム２の基板２２上に設置する。
該ファンホイール４はファンこしき４１及び該ファンこしき４１外周面に環状に設置し、光透過性を具えた複数のファン羽４２を含む。該各ファン羽４２の頂点面には密集し分布する複数の導光粒４３を形成する。こうして該ファン羽４２の表面はわずかに凹凸状となり霧面形態を呈する。該発光ユニット５は複数の発光ダイオード５１により組成され、該枠フレーム２の棒２３上に設置される。
該発光ダイオード５１の光線が該ファン羽４２の導光粒４３上に投射されると、該光線の一部は通過するが、該導光粒４３により光線は屈折反射現象を生じるため、光線は均一に分布する効果を達成する。さらに、照射面が広くなり、照射効果も均一となる効果を達成し、散熱ファン全体を明るくし、全体的な視覚効果をも高めることができる。
【０００８】
次に図５に示すように、本発明の第二最適実施例は前記第一最適実施例とおよそ同一であるが、異なる点は以下の通りである。
該発光ダイオード５１は該回路板３の外周縁に設置し、該枠フレーム２の環状枠２１は光透過材質により製造される。また該環状枠２１内側面上には密集し分布する複数の導光粒４３を形成し、同時に該各ファン羽４２の底面にも密集し分布する複数の導光粒４３を形成する。こうして、表面はわずかに凹凸状を呈した霧面形態を呈する。同様に、該発光ダイオード５１の該各ファン羽４２と該環状枠２１内側面上の導光粒４３への光線の散射において、一部の光線は貫通するが、光線は屈折反射現象をも生じ、光線が均一に分布する効果を達成することができる。
【０００９】
続いて図６に示すように、本発明の第三最適実施例では該導光粒４３は一般の支柱を持つ扇風機のファン羽４２においても結合することができる。これにより、表面はわずかに凹凸状を呈した霧面形態を呈し、該発光ダイオード５１は該一般の支柱を持つ扇風機の支柱上に設置し、同時に各1本の支柱表面にも該導光粒４３を結合することができる。該発光ダイオード５１の光線を利用し、該ファン羽４２と該支柱上の導光粒４３にそれぞれ投射し、光線屈折反射現象を生じ、光線が均一に分布する効果を達成することができ、該一般の支柱を持つ扇風機全体を明るくすることができる。
【００１０】
次に図７に示すように、本発明の第四最適実施例では、該導光粒４３はＶＧＡクーラーのファン羽４２と相互に結合することができ、これにより表面はわずかに凹凸状を呈した霧面形態を呈する。光線が該ファン羽４２に照射すると、光線屈折反射現象を生じ、光線が均一に分布する効果を達成することができる。
また図８に示すように、本発明の第五最適実施例では、該導光粒４３は流道を具えるブラストファン羽４２と相互に結合し、表面はわずかに凹凸状を呈した霧面形態を呈する。該第四最適実施例の作用と類似し、光線が該ファン羽４２に照射する時にも光線屈折反射効果を生じ、光線は均一に分布する効果を獲得する。
さらに図９に示すように、該導光粒４３は複数の散熱フィンを具える散熱装置にも応用可能である。この時、該各ファン羽４２表面はわずかに凹凸状を呈した霧面形態を呈する。該発光ダイオード５１はその内数個の散熱フィン上に設置し、光を生じる時、光線屈折反射効果を生じ、光線は均一に分布する効果を獲得する。すなわち、同様に全体装置を明るくし、視覚効果を高めることができる。
【図面の簡単な説明】
【００１１】
【図１】公知の散熱ファンの複数の発光ダイオードを枠フレーム上に設置する様子を示す断面図である。
【図２】公知の散熱ファンの内の一つの発光ダイオードを枠フレーム上に設置する様子を示す局部断面図である。
【図３】公知の散熱ファンの複数の発光ダイオードを回路板上に設置する様子を示す断面図である。
【図４】本発明の第一最適実施例の立体分解図である。
【図５】本発明の第二最適実施例の立体分解図である。
【図６】本発明の第三最適実施例の立体分解図である。
【図７】本発明の第四最適実施例の俯瞰指示図である。
【図８】本発明の第五最適実施例の俯瞰指示図である。
【図９】本発明の第六最適実施例の俯瞰指示図である。
【符号の説明】
【００１２】
２  枠フレーム
２１  環状枠
２２  基板
２３  棒
２４  導光粒
３  回路板
４  ファンホイール
４１  ファンこしき
４２  ファン羽
４３  導光粒
５  発光ユニット
５１  発光ダイオード
【図１】
2007016719.tif 000003
【図２】
2007016719.tif 000004
【図３】
2007016719.tif 000005
【図４】
2007016719.tif 000006
【図５】
2007016719.tif 000007
【図６】
2007016719.tif 000008
【図７】
2007016719.tif 000009
【図８】
2007016719.tif 000010
【図９】
2007016719.tif 000011